(57)【特許請求の範囲】
【請求項１】
２枚折り状の片開きフィルムの巻物を、該巻物の軸心回りに回転可能に且つ軸心方向が鉛直となるように保持する巻物保持装置と、
該巻物保持装置から該片開きフィルムを２枚折り状のまま引き出すためのフィルム引出装置と、
該フィルム引き出し装置で引き出された２枚折り状のフィルムの両側端部を、該側端部同士が離反するように案内するフィルム側端部案内装置と、
を有するフィルム解反装置であって、
該フィルム側端部案内装置は、該フィルムの一方の側端部を挟んで案内する第１のベルトコンベヤ及び該フィルムの他方の側端部を挟んで案内する第２のベルトコンベヤを有しており、
該第１及び第２のベルトコンベヤは、前記巻物保持装置から離反するほど両者の間隔が大きくなるように開き出し状に配置されていることを特徴とするフィルム解反装置。
【請求項２】
請求項１において、該第１のベルトコンベヤと第２のベルトコンベヤとの開き出し角度が調整可能となっていることを特徴とするフィルム解反装置。
【請求項３】
請求項１又は２において、離反した前記フィルムの側端部のうちいずれか一方を切断して解反時のフィルム幅を調整するためのフィルム側端部切断装置を備えていることを特徴とするフィルム解反装置。
【請求項４】
２枚折り状の片開きフィルムの巻物を、該巻物の軸心回りに回転可能に且つ軸心方向が鉛直となるように保持する巻物保持装置と、
該巻物保持装置から該片開きフィルムを２枚折り状のまま引き出すためのフィルム引出装置と、
該フィルム引き出し装置で引き出された２枚折り状のフィルムの両側端部を、該側端部同士が離反するように案内するフィルム側端部案内装置と、
離反した前記フィルムの側端部のうちいずれか一方を切断して解反時のフィルム幅を調整するためのフィルム側端部切断装置と、
を有するフィルム解反装置。
【請求項５】
請求項３又は４において、前記フィルム側端部切断装置よりもフィルム送り方向下流側に配置された前記フィルム側端部案内装置は、上下方向位置調整可能とされていることを特徴とするフィルム解反装置。
【請求項６】
請求項１ないし５のいずれか１項において、前記巻物保持装置と前記フィルム引出装置との間に、フィルムをフィルム幅方向に切断するフィルム幅方向切断装置を備えたことを特徴とするフィルム解反装置。
【請求項７】
請求項１ないし６のいずれか１項において、前記巻物保持装置は起倒回動可能とされており、
倒伏状態の該巻物保持装置に装着されたまま巻物を起立させるための引起し装置を備えたことを特徴とするフィルム解反装置。
【発明の詳細な説明】
【０００１】
【発明の属する技術分野】
本発明は、巻物状の片開きフィルムを解反する装置に関する。詳しくは、幅方向中央付近で２つ折り状に畳まれた長尺フィルムの巻物から該フィルムを引き出しながらその折り目を開き、１枚もののフィルムに広げる装置に関する。
【０００２】
【従来の技術】
大型の農業用ハウスや農業用トンネルに用いるプラスチックフィルムとして、展張作業や保守が容易なように、幅４ｍ以上のものが要求されることがある。このような広幅のフィルムは、インフレーション成形法で作られた筒状フィルムを切り開いて作られる。一般には、長尺の筒状フィルムに周方向と直交方向（長手方向）にスリットを入れて片開き状に折り畳んだものをロール状に巻き取った巻物状の形で市販されている。
【０００３】
従来、このような巻物状の片開きフィルムを解反する際には、水平に保持された巻物から該片開きフィルムを引き出しながら、そのスリット部に棒やへらを差し込んで手作業で折り目を広げていた。しかしながら、幅が２ｍほどのフィルムであればこのような解反作業も２人程度の少ない人数で実施可能であるが、より幅広のフィルムを解反する場合には、より多くの人手が必要となる。また、広幅のフィルムの場合には、解反に必要な巻物からの引き出し距離が長くなり、広い作業面積が必要となる。さらに、解反作業中にフィルムが作業台や床面と接触してフィルムに汚れが付着したり擦り傷が生じることもある。
【０００４】
このような問題を解決しょうとするものとして、特開平９−７１３５４号に、片開きフィルムの巻物を該巻物の軸心回りに回転可能に且つ軸心方向が鉛直となるように保持し、この巻物から引き出した２枚折り状のフィルム内に空気を吹き込んでフィルムの側端部を離反させて開き出し、この開き出したフィルムを床面とほぼ平行に設置されたローラで平たく解反するフィルム解反装置が提案されている。
【０００５】
【発明が解決しようとする課題】
しかしながら、この特開平９−７１３５４号では、開き出したフィルムの側端部を均一に引張って広げることが難しいことがあり、フィルムがうまく広がらずに波打ちすることがあった。
【０００６】
本発明は、２枚折り状のフィルムを確実に平たく均一に広げることができるフィルム解反装置を提供することを目的とする。
【０００７】
【課題を解決するための手段】
請求項１のフィルム解反装置は、２枚折り状の片開きフィルムの巻物を、該巻物の軸心回りに回転可能に且つ軸心方向が鉛直となるように保持する巻物保持装置と、該巻物保持装置から該片開きフィルムを２枚折り状のまま引き出すためのフィルム引出装置と、該フィルム引き出し装置で引き出された２枚折り状のフィルムの両側端部を、該側端部同士が離反するように案内するフィルム側端部案内装置とを有するフィルム解反装置であって、該フィルム側端部案内装置は、該フィルムの一方の側端部を挟んで案内する第１のベルトコンベヤ及び該フィルムの他方の側端部を挟んで案内する第２のベルトコンベヤを有しており、該第１及び第２のベルトコンベヤは、前記巻物保持装置から離反するほど両者の間隔が大きくなるように開き出し状に配置されていることを特徴とするものである。
請求項４のフィルム解反装置は、２枚折り状の片開きフィルムの巻物を、該巻物の軸心回りに回転可能に且つ軸心方向が鉛直となるように保持する巻物保持装置と、該巻物保持装置から該片開きフィルムを２枚折り状のまま引き出すためのフィルム引出装置と、該フィルム引き出し装置で引き出された２枚折り状のフィルムの両側端部を、該側端部同士が離反するように案内するフィルム側端部案内装置と、離反した前記フィルムの側端部のうちいずれか一方を切断して解反時のフィルム幅を調整するためのフィルム側端部切断装置とを有するものである。
【０００８】
かかる本発明のフィルム解反装置によれば、フィルムの側端部同士を離反させて該フィルムを広げるように該両側端部を案内装置で案内するので、フィルムに波打ち等の不具合を生じることなく確実に平たく且つ均一に広げることが可能となる。
【０００９】
請求項１のフィルム解反装置においては、フィルム側端部案内装置は、フィルムの一方の側端部を挟んで案内する第１のベルトコンベヤ及び該フィルムの他方の側端部を挟んで案内する第２のベルトコンベヤを有している。該第１及び第２のベルトコンベヤは、前記巻物保持装置から離反するほど両者の間隔が大きくなるように開き出し状に配置されている。
【００１０】
これにより、巻物から引き出されたフィルムの両側端部がこれらの第１及び第２ベルトコンベヤに沿って巻物保持装置から離反するに従って極めてスムーズに開き出すので、フィルムに波打ち等の不具合が全く生じない。
【００１１】
該第１のベルトコンベヤと第２のベルトコンベヤとの開き出し角度が調整可能となっていることが好ましい。このように構成した場合には、第１ベルトコンベヤと第２ベルトコンベヤとの開き出し角度を調整して両者のフィルム送り方向下流端同士の間隔を解反時のフィルム幅に合わせることにより、装置の構成を変えることなく、種々のフィルム幅を有するフィルムを確実に平たく且つ均一に広げることが可能となる。
【００１２】
請求項４のフィルム解反装置は、離反したフィルムの側端部のうちいずれか一方を切断して解反時のフィルム幅を調整するためのフィルム側端部切断装置を備えている。
【００１３】
これにより、フィルム巻物のフィルム幅が所望のフィルム幅よりも大きい場合でも、フィルム側端部切断装置でフィルムの側端部の少なくとも一方を不要幅分だけ切断することにより、所望の幅を有するフィルムを得ることが可能となる。
【００１４】
なお、フィルム側端部案内装置は、フィルム側端部切断装置よりもフィルム送り方向下流側に配置されていることが好ましい。また、この場合、該フィルム側端部案内装置は上下方向位置調整可能とされていることが好ましい。
【００１５】
このようにフィルム側端部案内装置をフィルム側端部切断装置よりも下流側に設け、なおかつその上下方向位置を調整可能とした場合には、フィルム側端部切断装置でフィルムの側端部を切断した場合でも、フィルムの側端部が切り詰められた分だけフィルム側端部案内装置の上下方向位置を調整することにより、スムーズにフィルム側端部案内装置にフィルム側端部が挟み込まれるようになる。この結果、フィルム側端部をフィルム側端部切断装置によって切断した場合でも、確実にフィルムを平らに且つ均一に広げることができるようになる。
【００１６】
本発明のフィルム解反装置は、巻物保持装置とフィルム引出装置との間に、フィルムをフィルム幅方向に切断するフィルム幅方向切断装置を備えていることが好ましい。このように構成した場合には、巻物保持装置に保持されたフィルム巻物からフィルムが所望長さまで引き出されたときにこの切断装置で該フィルムを幅方向に切断して該フィルムと巻物とを分断することにより、フィルムを所望長さだけ無駄なく解反することができる。
【００１７】
本発明のフィルム解反装置では、巻物保持装置は起倒回動可能とされており、倒伏状態の該巻物保持装置に装着されたまま巻物を起立させるための引起し装置を備えていることが好ましい。
【００１８】
かかる構成とした場合には、巻物を横倒し状にしたまま倒伏状態の巻物保持装置に装着することができるので、巻物の巻物保持装置への装着作業が極めて容易となる。また、巻物保持装置に装着された巻物を引起し装置により引き起して起立させることができるので、巻物の引起し作業も極めて容易である。
【００１９】
【発明の実施の形態】
以下、図面を参照して本発明の実施の形態について説明する。
【００２０】
第１７図及び第１８図は、それぞれ、実施の形態に係るフィルム解反装置のフィルム解反作動時の側面図及び平面図である。なお、以下の説明において、左右方向とはフィルム送り方向Ｄｆを向いたときの左右方向をいう。また、上流側とは該フィルム送り方向Ｄｆの上流側をいい、下流側とは該フィルム送り方向Ｄｆの下流側をいう。
【００２１】
このフィルム解反装置は、２枚折り状の片開きフィルムＦの巻物（以下、このフィルムＦの巻物をフィルムロールと称することがある。）Ｍを、その軸心回りに回転可能に且つ軸心方向が鉛直となるように保持する巻物（フィルムロール）保持装置Ａと、該フィルムロールＭから２枚折り状のままフィルムＦを引き出すと共に、該フィルムＦの両側端部を、該側端部同士が離反するように案内するフィルム引出・案内装置Ｂと、該巻物Ｍから引き出された２枚折り状のフィルムＦ内に空気（エア）を吹き込んで該フィルムＦを開き出させるためのエア吹出装置Ｃと、該エア吹出装置Ｃにより開き出したフィルムＦの幅方向中央付近の内面に当接して該幅方向中央付近を持ち上げるように案内するガイドローラ装置Ｄとを備えている。
【００２２】
該フィルムロール保持装置Ａは、架台１と、該架台１上に起倒回動可能に設置されたフィルムロール保持棒２と、該フィルムロール保持棒２を倒伏状態から起立状態に回動させる駆動装置３とを有している。なお、該フィルムロールＭは、下端が切開された片開きフィルム、即ち幅方向中央付近で２枚折り状に畳まれた長尺のフィルムＦを円筒状の芯（第１７，１８図では図示略）にロール状に巻き付けてなるものである。該フィルムロール保持棒２は、このフィルムロールＭの芯に挿通可能となっている。
【００２３】
このフィルムロールＭをフィルムロール保持棒２に装着するには、まず、該フィルムロール保持棒２を倒伏状態とする。そして、フィルムロールＭを台車（図示略）上に横倒し状に載せて運搬し、該フィルムロールＭの芯とフィルムロール保持棒２とが同軸状に且つ該フィルムロールＭの片開き側がフィルムロール保持棒２に対面するようにこの台車を該フィルムロール保持棒２の先端側に配置する。次いで、この台車をフィルムロール保持棒２の基端側に移動させ、該芯にフィルムロール保持棒２を挿通することにより、フィルムロールＭを該フィルムロール保持棒２に装着する。その後、駆動装置３を作動させてこのフィルムロール保持棒２を起立方向に回動させ、起立状態とする。
【００２４】
フィルム引出・案内装置Ｂは、該フィルムロール保持装置Ａに保持されたフィルムロールから２枚折り状のままフィルムＦを引き出すフィルム引出装置としてのフィルム引出用ピンチローラ４と、該ピンチローラ４によって引き出された２枚折り状のフィルムＦの左右両側端部を左右に振り分ける左右１対のフィルム側端部振分用ピンチローラ５，５’と、該ピンチローラ５，５’にて左右に振り分けられたフィルムの両側端部を離反させるように案内するフィルム側端部案内装置としての左右１対のフィルム側端部案内用ベルトコンベヤ６，６’とを備えている。
【００２５】
該ピンチローラ４及び５，５’は、第１８図に示すように、該ピンチローラ５，５’を底辺側の２頂点とし、ピンチローラ４を残る高さ方向の頂点とする２等辺三角形状に配置されている。また、ベルトコンベヤ６，６’は、該ピンチローラ５，５’から離反するほど両者の間隔が大きくなる開き出し状に配置されている。
【００２６】
なお、これらのピンチローラ４，５，５’は、第１８図に示すように、それぞれ、２本１組のローラ４ａ，４ｂ，５ａ，５ｂ，５’ａ，５’ｂから構成されている。また、各ローラ４ａ，４ｂ，５ａ，５ｂ，５’ａ，５’ｂは、第１７図に示すように、軸心方向が鉛直となるように配置されている。これらのローラ４ａ，４ｂ間、５ａ，５ｂ間、５’ａ，５’ｂ間にそれぞれ２枚折り状のフィルムＦ及び該フィルムＦの各側端部が挟み込まれ、該ローラ同士が回転することにより、フィルムＦがフィルムロールＭから引き出されてフィルム送り方向Ｄｆの下流側に向って送られる。
【００２７】
また、該ベルトコンベヤ６，６’は、それぞれ、第１８図に示すように、対面接触する２本１組の無端回動ベルト６ａ，６ｂ，６’ａ，６’ｂを有しており、フィルムＦの各側端部は、これらのベルト６ａ，６ｂ間及び６’ａ，６’ｂ間に挟まれ、該ベルト同士が対面接触しながら無端回動することにより、該フィルム送り方向Ｄｆの下流側に向って互いに離反するように案内される。
【００２８】
エア吹出装置Ｃは、送風機（図示略）からの圧縮空気（例えば、１ｋｇ／ｍ２程度の圧縮空気）を２枚折り状のフィルムＦ内に上方に向って吹き込むノズル７を備えている。このノズル７は、後述するガイドローラ装置Ｄの伸縮ポスト８ａの先端付近に取り付けられ、フィルムＦの幅に応じて床面から所定の高さ（例えば、床面から１００〜２００ｃｍの高さ）に配置されている。
【００２９】
このノズル７からのフィルムＦ内への空気の吹き込みにより、フィルムＦが万遍なく広がり出し、棒やへらで折り目を開いたときに生じるような局所的なフィルムＦの伸長や破れが防止される。
【００３０】
ガイドローラ装置Ｄは、このノズル７からの空気の吹き込みにより広がり出したフィルムＦの内面の幅方向中央付近に当接するよう配置されたガイドローラ８を備えている。このガイドローラ８は、上下方向に伸縮可能な伸縮ポスト８ａの上端に設けられている。この伸縮ポスト８ａを適宜伸縮させることにより、ガイドローラ８はフィルムＦの幅に応じて床面から所定高さ（例えば床面から１５０〜２５０ｃｍの高さ）に配置されている。
【００３１】
このガイドローラ８により、フィルムＦの幅方向中央付近が持ち上げられ、該フィルムＦが地面に接触することが防止されている。
【００３２】
なお、該伸縮ポスト８ａの高さの調整には、装置の運転状況に応じて随時該伸縮ポスト８ａの伸縮量を変更可能なエアシリンダ機構を用いることが好ましい。また、この実施の形態ではガイドローラとして１個の樽形のテーパローラを用いているが、フィルム幅に応じて、左右方向に山形に並列配置された複数個の組ローラを用いてもよい。
【００３３】
このように構成されたフィルム解反装置にあっては、左右のフィルム側端部案内用ベルトコンベヤ６，６’によってフィルムＦの側端部同士を離反させて該フィルムＦを広げるように該両側端部を案内するので、フィルムＦに波打ち等の不具合を生じることなく確実に平たく且つ均一に広げることが可能となる。
【００３４】
また、このフィルム解反装置にあっては、フィルムＦの各側端部をベルトコンベヤ６，６’によって案内するようにしたことにより、フィルムＦの両側端部がフィルムロール保持装置Ａから離反するに従って極めてスムーズに開き出すので、フィルムＦに波打ち等の不具合が全く生じない。
【００３５】
このフィルム解反装置にあっては、フィルムロール保持棒２が起倒回動可能となっており、前述のように、フィルムロールＭを横倒し状にして倒伏状態のフィルムロール保持棒２に装着することができるので、フィルムロールＭのフィルムロール保持棒２への装着作業が極めて容易である。しかも、このフィルムロール保持棒２を駆動装置３によって起立回動させることにより、該フィルムロール保持棒２を起立させることができるので、フィルムロールＭの引起し作業も極めて容易である。
【００３６】
第１図は別の実施の形態に係るフィルム解反装置の斜視図、第２図及び第３図はこのフィルム解反装置のフィルム解反作動時の側面図及び平面図である。また、第４図は片開きフィルムの巻物（フィルムロール）の斜視図、第５図はフィルムロール保持装置の斜視図、第６図はこのフィルムロール保持装置へのフィルムロール装着方法を示す斜視図、第７図はフィルム引出装置の斜視図、第８図はフィルム側端部切断装置の斜視図、第９図はフィルム側端部案内装置の斜視図、第１０図（ａ），（ｂ）は、それぞれ、このフィルム側端部案内装置へのフィルム始端部差し込み方法を示す平面図、第１１図（ａ），（ｂ）は、それぞれ、このフィルム側端部案内装置の全体平面図、第１２図はエア吹出装置の斜視図、第１３図はフィルム幅方向切断装置の斜視図、第１４図はフィルムカッターの斜視図、第１５図はフィルム挟持装置の斜視図、第１６図（ａ），（ｂ）は、それぞれ、このフィルム挟持装置のフィルム挟持機構を示す平面図である。
【００３７】
このフィルム解反装置は、第４図に示す如き、幅方向中央付近で２枚折り状に畳まれた長尺の片開きフィルムＦを円筒状の芯１１ａにロール状に巻き付けてなるフィルムロール１１から該フィルムＦを２枚折り状のまま引き出しながらこれを１枚もののフィルムに広げるための装置である。
【００３８】
第１図に示すように、このフィルム解反装置は、ベースプレート１０と、フィルムロール１１を軸心回りに回転可能に且つ軸心方向が鉛直となるように保持するフィルムロール保持装置１２と、該フィルムロール保持装置１２に保持されたフィルムロール１１からフィルムＦを２枚折り状のまま引き出すフィルム引出装置１４と、解反時の該フィルムＦの幅が所望の幅よりも大きい場合に該フィルムＦの一方の側端部を不要幅分だけ切断するフィルム側端部切断装置１６と、該フィルム側端部切断装置１６によって切断されたフィルムＦの切れ端Ｒを引き取る切れ端引取装置１８と、該フィルム引出装置１４によって引き出されたフィルムＦの両側端部を左右に離反させるように案内する左右１対のフィルム側端部案内装置２０Ａ，２０Ｂと、フィルムロール１１から引き出された２枚折り状のフィルムＦ内に空気を吹き込んで該フィルムＦを開き出させるためのエア吹出装置２２と、解反されたフィルムＦの後端側をフィルム幅方向にカッターナイフ等により切断する際に使用するカッター台２４と、フィルムロール保持装置１２とフィルム引出装置１４との間に配置されたフィルム幅方向切断装置２６とを備えている。
【００３９】
このフィルムロール保持装置１２は、第５図及び第６図に示すように、架台３０と、該架台３０の上面３０ａに起倒回動可能に設置されたフィルムロール保持棒３２と、該フィルムロール保持棒３２を倒伏状態から起立状態にまで引き起すための引起し装置３４と、該フィルムロール保持棒３２を起立状態に固定するための固定機構３６と、該フィルムロール保持棒３２の倒伏回動時の回動速度を規制するガススプリングダンパ３８とを有している。
【００４０】
該フィルムロール保持棒３２は、一端側（基端側）にフィルムロール台座４０が設けられている。この台座４０は、シャフト４２を介して架台３０の上面に枢支されている。このシャフト４２は、該台座４０を貫通して第１〜３図に示すフィルム送り方向Ｄｆと略平行方向に延在しており、該上面３０ａから立設された前後１対の軸受４４，４４によって両端を保持されている。該フィルムロール保持棒３２は、このシャフト４２を回動中心として、第５図に示す起立状態（起立姿勢）から第６図に示す如く架台３０の側方へ倒伏する。
【００４１】
なお、この実施の形態では、該シャフト４２は、架台３０の上面３０ａの一方の側辺（この実施の形態ではフィルム送り方向Ｄｆを向いたときの左側の側辺。）近傍に配置されており、フィルムロール保持棒３２が該シャフト４２を回動中心として倒伏すると、台座４０は、その上部（フィルムロール保持棒３２が起立状態となっているときの上部。以下、同様。）が該上面３０ａの側辺から側外方に張り出すようになっている。
【００４２】
この台座４０の上部の左右の側面から側外方にアーム４６，４８が延出している。即ち、第５図に示すように、アーム４６は、フィルムロール保持棒３２が起立状態となっているときに台座４０の上部側面から架台３０の上面３０ａの上方を横断するように該上面３０ａの右辺側に延出しており、アーム４８は、棒状建材３２が起立状態となっているときに台座４０の上部側面から該上面３０ａの左辺よりも側外方に延出している。
【００４３】
該アーム４６の先端側には、フィルムロール保持棒３２の軸心方向が鉛直となっているときに架台３０の上面３０ａに当接する脚片５０が突設されている。なお、この脚片５０には、後述する固定機構３６のピン７６が係合可能なピン係合孔５２が設けられている。この脚片５０が該上面３０ａに当接することにより、フィルムロール保持棒３２は軸心方向が鉛直となった状態で該架台３０上に静止可能であると共に、該架台３０の右辺側への倒伏が阻止され、左辺側への倒伏のみ許容されている。
【００４４】
これに対し、アーム４８は、フィルムロール保持棒３２の軸心方向が略水平となるように該フィルムロール保持棒３２が倒伏したときに、架台３０の左辺に当接して該フィルムロール保持棒３２の倒伏回動を停止させるよう構成されている。これにより、フィルムロール保持棒３２は、軸心方向が水平となった状態で静止可能となっている。
【００４５】
引起し機構３４は、ワイヤ５４、動滑車５６及びホイスト５８等を用いた複合機構となっている。即ち、フィルムロール保持装置１２の上方には左右方向に延在する天井梁６０が配設されており、この天井梁６０にホイスト５８が取り付けられている。動滑車５６は、チェーン５８ａを介してこのホイスト５８に上下方向移動可能に吊下されている。このホイスト５８の下方の地面Ｇ上にはベースプレート６２が設置されており、このベースプレート６２上に、ワイヤ５４の一端が接続されたフック６４と第１の定滑車６６とが設けられている。また、天井梁６０の下面には、この第１定滑車６６と対をなす第２の定滑車６８が設けられている。
【００４６】
ワイヤ５４は、途中部分が該動滑車５６と第１及び第２定滑車６６，６８とにジグザグ状に掛け回されており、他端側が該第２定滑車６８から下方に垂れ下がっている。このワイヤ５４の他端には鉤状のフック７０が取り付けられている。フィルムロール保持棒３２の先端には、このフック７０が掛けられるリング７２が取り付けられている。
【００４７】
なお、該ホイスト５８は、架台３０の直上よりも右方に配置されている。また、フック６４はこのホイスト５８の直下よりも右方に配置されており、第１定滑車６６は該ホイスト５８の直下よりも左方に配置されている。該第２定滑車６８は、この第１定滑車６６の直上よりも左方且つ架台３０よりも右方に配置されている。
【００４８】
ホイスト５８をチェーン巻き上げ作動させると、チェーン５８ａを介して動滑車５６が上方へ引き上げられ、この動滑車５６の上方移動に伴ってワイヤ５４が引張られてフック７０が上方へ引き上げられる。また、ホイスト５８をチェーン繰り出し作動させると、動滑車５６が下方に降ろされ、これに伴ってワイヤ５４が弛んでフック７０が引き降ろされる。
【００４９】
この引起し機構３４によりフィルムロール保持棒３２を起立回動させるには、該フック７０をリング７２に掛け、ホイスト５８をチェーン巻き上げ作動させる。そうすると、ワイヤ５４及びフック７０を介してフィルムロール保持棒３２の先端側が引き上げられ、該フィルムロール保持棒３２が起立する。また、フィルムロール保持棒３２を倒伏回動させるには、ホイスト５８をチェーン繰り出し作動させる。そうすると、ワイヤ５４が弛み、フィルムロール保持棒３２が自重により倒伏する。
【００５０】
固定機構３６は、本体部７４と、該本体部７４から進退可能に延出したピン７６とを有している。該本体部７４は、フィルムロール保持棒３２の軸心方向が鉛直となったとき、即ち、アーム４６の先端側の脚片５０が架台３０の上面３０ａに当接したときに、該脚片５０のピン係合孔５２とピン７６とが同軸状に対面するように架台３０の上面３０ａ上に設置されている。
【００５１】
この固定機構３６は、該脚片５０が架台３０の上面３０ａに当接したときにピン７６を本体部７４から進出させて該ピン係合孔５２に係合させることにより、該アーム４６を介してフィルムロール保持棒３２を起立状態にて固定する。なお、この固定機構３６は、フィルムロール保持棒３２を倒伏させるときには、ピン７６を該ピン係合孔５２から退出させ、該フィルムロール保持棒３２の固定を解除する。
【００５２】
前記ガススプリングダンパ３８は、ガススプリングを内蔵したシリンダ７８と、該シリンダ７８から該ガススプリングの弾力性により弾性的に進退可能に延出したロッド８０とから構成されている。このガススプリングダンパ３８は、架台３０の上面３０ａの下側を通って左右方向に延在しており、該ロッド８０の先端がブラケット４８ａを介してアーム４８の先端側に回動可能に連結され、シリンダ７８の後端が、架台３０の下部から右側外方に延出したベースプレート８２の先端側にブラケット８２ａを介して回動可能に連結されている。
【００５３】
このガススプリングダンパ３８は、フィルムロール保持棒３２が倒伏しようとしているときには、ロッド８０が弾性的にシリンダ７８内に退動しながらアーム４８にガススプリングからの反発力を作用させ、該フィルムロール保持棒３２の回動速度を緩やかなものとする。また、このガススプリングダンパ３８は、フィルムロール保持棒３２が起立しようとしているときには、ロッド８０が弾性的にシリンダ７８から進出し、アーム４８を介してフィルムロール保持棒３２を起立方向に付勢してフィルムロール保持棒３２の引き起しを補助する。
【００５４】
このフィルムロール保持装置１２に対し、フィルムロール１１は、芯１１ａにフィルムロール保持棒３２が挿通され、該フィルムロール保持棒３２が引起し装置３４によって引き起されて起立状態とされることにより、台座４０上にて軸心回りに回動可能に且つ軸心方向が鉛直となるように保持される。
【００５５】
フィルムロール１１をフィルムロール保持棒３２に装着するには、第６図に示すように、フィルムロール保持棒３２を倒伏状態とし、リング７２からフック７０を外しておく。フィルムロール１１を台車８４に横倒し状に載置し、このフィルムロール１１の芯１１ａとフィルムロール保持棒３２とが同軸状に対面するように台車８４を配置する。そして、この台車８４をフィルムロール保持棒３２の基端側に移動させることにより芯１１ａにフィルムロール保持棒３２を挿通する。次に、リング７２にフック７０を掛け、ホイスト５８をチェーン巻き取り作動させてフィルムロール保持棒３２を起立させる。その後、フィルムロール保持棒３２の軸心方向が鉛直となったところで固定機構３６によりフィルムロール保持棒３２を固定する。
【００５６】
なお、このフィルムロール保持装置１２には、フィルムロール１１から引き出されたフィルムＦの引き出し長さを計測するための検尺器（ロータリエンコーダ）８８が設けられている。この検尺器８８は、フィルムロール１１からのフィルムＦの引き出しに伴い、該フィルムロール１１の外周面に沿って転がるように回転するコンタクトローラ９０の回転により、該フィルムＦの引き出し長さを計測するものである。
【００５７】
この実施の形態では、該検尺器８８は、スライドアーム９２の先端に、フィルムロール１１の外周面に対し接離方向移動可能に取り付けられている。このスライドアーム９２は、常時該コンタクトローラ９０をフィルムロール１１の外周面に押し付けるように検尺器８８を付勢している。
【００５８】
フィルム引出装置１４は、フィルムロール保持装置１２に保持されたフィルムロール１１から２枚折り状のままフィルムＦを引き出すフィルム引出機構９６と、該フィルム引出機構９６によって引き出された２枚折り状のフィルムＦの両側端部を左右のフィルム側端部案内装置２０Ａ，２０Ｂに振り分けるフィルム側端部振分機構９８Ａ，９８Ｂとからなる。
【００５９】
これらのフィルム引出機構９６及び各フィルム側端部振分機構９８Ａ，９８Ｂは、第３図に示すように、該フィルム側端部振分機構９８Ａ，９８Ｂを底辺側の２頂点とし、フィルム引出機構９６を残る高さ方向の頂点とする２等辺三角形状に配置されている。なお、この実施の形態では、該フィルム引出装置９６と右側フィルム側端部振分機構９８Ａとの間に前記フィルム側端部切断装置１６が配置されている。
【００６０】
このフィルム引出機構９６は、フィルムロール保持装置１２に保持されているフィルムロール１１から引き出された２枚折り状のフィルムＦを挟み付けながら回転することにより該フィルムＦをフィルムロール１１から連続的に引き出すピンチローラ１０２，１０２’を備えている。これらのピンチローラ１０２，１０２’は、ベースプレート１０上に立設されたピンチローラポスト１０４，１０４’間に、その軸心方向が鉛直となるように並列配置されている。
【００６１】
ピンチローラ１０２は、ポスト１０４に対しアーム１０６によって軸心回りに回転可能に枢支されている。また、ピンチローラ１０２’は、ポスト１０４’に対し、アーム１０８によってその軸心周りに回転可能に、且つ該ピンチローラ１０２に対し接離方向移動可能に枢支されている。なお、この実施の形態では、ピンチローラ１０２’は該軸心方向中間部分で上下に２分割された構成となっており、該中間部分にはアーム１０８’が介在されている。このアーム１０８’には、該ピンチローラ１０２’をピンチローラ１０２に対し接離方向に移動させるためのピンチシリンダ１１０が連結されている。
【００６２】
これらのピンチローラ１０２，１０２’のうちの一方が駆動装置を内蔵しており、この駆動装置により一方が自転し、他方がこれに追従して回転することにより、両者の間を連続的にフィルムＦが搬送される。
【００６３】
各フィルム側端部振分機構９８Ａ，９８Ｂは、それぞれ、このフィルム引出機構９６によって２枚折り状のまま引き出されたフィルムＦの各側端部を挟み付けながら回転することにより、該フィルムＦの各側端部を連続的に下流側のフィルム側端部案内装置２０Ａ，２０Ｂに送り出すピンチローラ１１２，１１２’を備えている。これらのピンチローラ１１２，１１２’は、ベースプレート１０上に立設されたピンチローラポスト１１４，１１４’間に、その軸心方向が鉛直となるように並列配置されている。
【００６４】
ピンチローラ１１２は、ポスト１１４に対しアーム１１６によって軸心回りに回転可能に枢支されている。また、ピンチローラ１１２’は、ポスト１１４’に対し、アーム１１８によってその軸心周りに回転可能に、且つ該ピンチローラ１１２に対し接離方向移動可能に枢支されている。なお、この実施の形態では、ピンチローラ１１２’は該軸心方向中間部分で上下に２分割された構成となっており、該中間部分にはアーム１１８’が介在されている。このアーム１１８’には、該ピンチローラ１１２’をピンチローラ１１２に対し接離方向に移動させるためのピンチシリンダ１２０が連結されている。
【００６５】
これらのピンチローラ１１２，１１２’のうちの一方が駆動装置を内蔵しており、この駆動装置により一方が自転し、他方がこれに追従して回転することにより、両者の間を連続的にフィルムＦの各側端部が搬送される。
【００６６】
なお、この実施の形態では、該フィルム側端部振分機構９８Ａ，９８Ｂは、図示のように、両者の左右方向が逆転していること意外はまったく同一の構成となっている。
【００６７】
前記フィルム側端部切断装置１６は、フィルム引出機構９６から右側フィルム側端部振分装置９８Ａとの間を移動しているフィルムＦの側端部を案内するためのピンチローラ１２４，１２４’と、該ピンチローラ１２４，１２４’を支持しているポスト１２６，１２６’と、該フィルムＦの側端部を一定幅にて連続的に切断するためのカッター１２８とを備えている。該ピンチローラ１２４，１２４’は、軸心方向が鉛直となるように該ポスト１２６，１２６’間に配置されている。
【００６８】
ピンチローラ１２４は、ポスト１２６に対しアーム１３０により軸心回りに回転可能に枢支されている。また、ピンチローラ１２４’は、ポスト１２６’に対し、アーム１３２によってその軸心周りに回転可能に、且つ該ピンチローラ１２４に対し接離方向移動可能に枢支されている。なお、この実施の形態では、ピンチローラ１２４’は該軸心方向中間部分で上下に２分割された構成となっており、該中間部分にはアーム１３２’が介在されている。このアーム１３２’には、該ピンチローラ１２４’をピンチローラ１２４に対し接離方向に移動させるためのピンチシリンダ１３４が連結されている。
【００６９】
これらのピンチローラ１２４，１２４’は、フィルム引出機構９６のピンチローラ１０２，１０２’間、該ピンチローラ１２４，１２４’間並びにフィルム側端部振分機構９８Ａのピンチローラ１１２，１１２’間をフィルムＦの側端部が一直線状に通過し得るように配置されている。
【００７０】
カッター１２８は、第８図に示すように、一方（この実施の形態ではフィルム送り方向Ｄｆに向って右側）のポスト１２６’に沿って上下方向位置調整可能に取り付けられたスライドベース１３６と、該スライドベース１３６に取り付けられたカッター刃１３８と、フィルムＦの側端部の裏側（該ポスト１２６’からフィルムＦを臨んだときのフィルムＦの側端部の裏側。）に配置された背板（カッター刃受け）１４０とを有している。
【００７１】
該スライドベース１３６は、ポスト１２６’の前後の側面に重ね合わされた挟持板１４２，１４２と、該挟持板１４２，１４２の右端部同士を連結した連結シャフト１４４と、該挟持板１４２，１４２の左端部同士を接近方向に付勢可能な締付ボルト１４６と、該挟持板１４２，１４２の左端同士の間に架設されたカッター刃ベース１４８とを有している。
【００７２】
このスライドベース１３６は、該締付ボルト１４６を緩めることにより挟持板１４２，１４２がポスト１２６’の前後の側面から離反し、上下方向位置調整可能となる。また、この締付ボルト１４６を締め込むことにより、挟持板１４２，１４２がポスト１２６’に押し付けられ、スライドベース１３６がポスト１２６’に対し固定される。なお、この実施の形態では、該締付ボルト１４６にハンドル１５０が設けられており、手動でもこの締付ボルト１４６を緩めたり締め込んだりすることができるようになっている。
【００７３】
カッター刃１３８と背板１４０とはピンチローラ１２４，１２４’の上流側に配置されている。該カッター刃１３８は、刃先を該上流側に向けてフィルムＦを厚み方向に横断（貫通）するように配置され、その先端は該背板１４０に当接している。該背板１４０は、該カッター刃ベース１４８からフィルムＦを貫通するように延出したアーム１５０の先端に連なっている。このアーム１５０は、カッター刃１３８と同程度の厚みを有した板状のものである。このアーム１５０は、該カッター刃１３８と略面一状に、且つ該カッター刃１３８よりも下流側に配置されており、該カッター刃１３８によりカットされたフィルムＦの切れ目を通って該フィルムＦの裏側に延出している。
【００７４】
このフィルム側端部切断装置１６を通過するフィルムＦの側端部は、第８図に示すように、ピンチローラ１２４，１２４’間に引き込まれる直前にカッター１２８によって一定幅にて連続して切断される。この切断により生じたフィルムＦの切れ端Ｒは、他のフィルムＦ部分と共にピンチローラ１２４，１２４’間を通過した後、ピンチローラ１２４’の外周面に沿って側外方に流れを変えて切れ端引取装置１８に引き取られる。
【００７５】
この切れ端引取装置１８は、第１図に示すように、該切れ端Ｒを引き取るピンチローラ１５４，１５４と、このピンチローラ１５４，１５４を回転駆動するための駆動装置１５６と、このピンチローラ１５４，１５４によって引き取られた切れ端Ｒを収容するためのコンテナ１５８とを有している。なお、第１図の符号１６０，１６０は、このピンチローラ１５４，１５４の両端を枢支しているポストを示しており、各ピンチローラ１５４，１５４は、軸心方向が水平となるようにこのポスト１６０，１６０間に配置されている。
【００７６】
フィルム側端部案内装置２０Ａ，２０Ｂは、それぞれ、上記フィルム側端部振分機構９８Ａ，９８Ｂの下流側に配置されている。各フィルム側端部案内装置２０Ａ，２０Ｂは、並列配置された外側ベルトコンベヤ１６４と内側ベルトコンベヤ１６６とを備えている。
【００７７】
これらのベルトコンベヤ１６４，１６６は、それぞれ、上流側プーリ１６８，１７０及び下流側プーリ１７２，１７４と、該プーリ１６８，１７２間及びプーリ１７０，１７４間に掛け回された無端ベルト１７６，１７８とからなり、各プーリ１６８〜１７４は、回転軸方向が鉛直となるように配置されている。該外側ベルトコンベヤ１６４と内側ベルトコンベヤ１６６とは、無端ベルト１７６，１７８同士が該プーリ１６８，１７２間及びプーリ１７０，１７４間において対面接触するように配置されている。
【００７８】
この実施の形態では、第９図に示すように、各内側ベルトコンベヤ１６６の下流側プーリ１７４に駆動ベルト１８２を介してモータ１８０が接続されており、このモータ１８０によって該プーリ１７４が回転駆動される。そして、このプーリ１７４の回転によりベルト１７８が無端回動し、このベルト１７８に従動するようにベルト１７６が無端回動する。
【００７９】
該フィルム側端部振分機構９８Ａ，９８Ｂから搬送されたフィルムＦの各側端部は、該外側ベルトコンベヤ１６４及び内側ベルトコンベヤ１６６の上流側（プーリ１６８，１７０間）からベルト１７６，１７８間に挟み込まれ、該ベルト１７６，１７８同士が無端回動することにより、該外側ベルトコンベヤ１６４及び内側ベルトコンベヤ１６６に沿って案内される。
【００８０】
なお、この実施の形態では、各外側ベルトコンベヤ１６４の上流側プーリ１６８は、内側ベルトコンベヤ１６６の上流側プーリ１７０に対し接近及び離反するようにスライド可能となっている。このプーリ１６８には、シリンダ装置１８４によって進退されるプッシュロッド１８６の先端が連結されており、第１０図（ａ），（ｂ）に示すように、このプッシュロッド１８６を進退させることにより、該プーリ１６８がプーリ１７０に対し接近及び離反するようにスライドする。
【００８１】
該ベルト１７６，１７８間にフィルムＦの始端を挟み込む際には、第１０図（ｂ）に示すように、このプーリ１６８をプーリ１７０から離反させることにより、外側ベルトコンベヤ１６４の上流端付近と内側ベルトコンベヤ１６６の上流端付近とを開脚状に離反させ、これらの間にフィルムＦの始端を差し入れる。その後、該プーリ１６８をプーリ１７０側にスライドさせて該フィルムＦの始端をベルト１７６，１７８間に挟持させる。なお、第１０図の符号１８８，１９０は、プーリ１６８がプーリ１７０から離反するようにスライドした際にベルト１７６に張力を与えるガイドプーリを示している。
【００８２】
フィルム側端部振分装置９８Ａの下流側に設置されたフィルム側端部案内装置２０Ａのベルトコンベヤ１６４，１６６は、昇降架台１９４によって上下方向位置調整（上下方向平行移動）可能に支持されている。この昇降架台１９４は、底部フレーム１９６と、該底部フレーム１９６から立設された前後１対のポスト１９８，１９８と、各ポスト１９８に沿って上下方向にスライド可能に設けられたスライドアーム２００，２００と、該アーム２００，２００を上下方向にスライドさせるための駆動機構２０２と、この昇降架台１９４をベースプレート１０に連結するためのアーム２０４とを有している。
【００８３】
第９図に示すように、該底部フレーム１９６は略長方形枠状体であり、両短辺の延在方向途中部分から略鉛直にポスト１９８，１９８が立設されている。各スライドアーム２００は、このポスト１９８の側面に沿ってスライド可能なスライダ部２００ａと、該スライダ部２００ａから水平方向に延出したアーム部２００ｂとを有している。このアーム部２００ｂ，２００ｂ上に、該底部フレーム１９６の長辺方向と略平行に延在するように該ベルトコンベヤ１６４，１６６が架設されている。
【００８４】
駆動機構２０２は、ポスト１９８，１９８の上端同士の間に架設されたアクセルシャフト２０６と、該アクセルシャフト２０６の軸心方向両端に同軸状に接続されたスプロケット２０８，２０８と、各スプロケット２０８，２０８に回し掛けられたチェーン２１０と、駆動ベルト２１４を介して該アクセルシャフト２０６に接続されたモータ２１２とを有している。このチェーン２１０の一端側にスライドアーム２００が吊下されている。また、このチェーン２１０の他端側には、該スライドアーム２００と重量バランスをとるためのカウンターウェイト２１６が吊下されている。
【００８５】
モータ２１２を作動させると、駆動ベルト２１４を介してアクセルシャフト２０６が回転駆動され、このアクセルシャフト２０６と一体に両スプロケット２０８が回転する。このスプロケット２０８の回転により、チェーン２１０を介してスライドアーム２００が上下にスライドし、アーム部２００ｂ，２００ｂ上に架設されたベルトコンベヤ１６４，１６６が上下に平行移動する。
【００８６】
なお、このスライドアーム２００の上下方向の可動範囲は、アーム部２００ｂ上に架設されたベルトコンベヤ１６４，１６６の延在高さがフィルム側端部振分機構９８Ａのピンチローラ１２０，１２０’の軸方向の下端付近と略同一高さとなる位置から、前記フィルム側端部切断装置１６のカッター１２８の移動上限高さと略同一高さとなる位置までとなっている。
【００８７】
連結アーム２０４は、底部フレーム１９６から各ベルトコンベヤ１６４，１６６の上流側に延出しており、先端部には、ベースプレート１０への連結ブラケット２１８が設けられている。この連結ブラケット２１８には連結ピン挿通孔２２０が設けられており、この連結ピン挿通孔２２０に連結ピン２２２が挿通され、この連結ピン２２２がベースプレート１０に固着されることにより、昇降架台１９４がベースプレート１０に枢着されている。なお、底部フレーム１９６にはキャスター２２４が設けられており、該昇降架台１９４は、この連結ピン２２２を転回中心として左右に転回可能となっている。
【００８８】
フィルム側端部案内装置２０Ｂのベルトコンベヤ１６４，１６６は、架台２２８上に配設されている。この架台２２８は、上面の高さがフィルム側端部振分機構９８Ｂのピンチローラ１２０，１２０’の下端付近と略同一高さとなっている略直方体枠状のものである。該ベルトコンベヤ１６４，１６６は、この架台２２８の長辺方向と略平行に延在している。
【００８９】
この架台２２８には、上記の昇降架台１９４と同様に、各ベルトコンベヤ１６４，１６６の上流側に向って延出した連結アーム２０４が設けられており、この連結アーム２０４の先端に設けられた連結ピン挿通孔２２０に連結ピン２２２が挿通され、この連結ピン２２２がベースプレート１０に固着されることにより、該架台２２８がベースプレート１０に枢着されている。また、該架台２２８の底部にはキャスター２２４が設けられており、該架台２２８は、この連結ピン２２２を転回中心として左右に転回可能となっている。
【００９０】
これらのフィルム側端部案内装置２０Ａ，２０Ｂは、第１０図（ａ），（ｂ）に示すように、下流側ほど両者の間隔が大きくなるように開き出し状に配置される。そのため、各フィルム側端部振分機構９８Ａ，９８Ｂからこれらのフィルム側端部案内装置２０Ａ，２０Ｂに振り分けられたフィルムＦの両側端部は、第３図に示すように、各ベルトコンベヤ１６４，１６６によって案内されて下流側へと搬送されるに従って左右に離反していく。
【００９１】
なお、第１０図（ａ），（ｂ）に示すように、これらのフィルム側端部案内装置２０Ａ，２０Ｂは、連結ピン２２２を回動中心として転回されることにより、両者の開き出し角度θが調節可能となっている。この開き出し角度θを調節することにより、該フィルム側端部案内装置２０Ａ，２０Ｂは、各々の下流端同士の間隔がフィルムＦの幅と略等しくなるように配置される。
【００９２】
前記エア吹出装置２２は、これらのフィルム側端部案内装置２０Ａ，２０Ｂ同士の間の上流側に配置されている。このエア吹出装置２２は、ベースプレート１０上に立設されたガイドポスト２３２と、該ガイドポスト２３２の上端から上下方向に進退可能に延出したガイドロッド２３４と、該ガイドロッド２３４の上端に設置されたベース２３６と、該ベース２３６を上下動させるためのエアシリンダ装置２３８と、該ベース２３６の上流側に取り付けられたエア吹出口２４０と、ダクト２４２ａを介して該エア吹出口２４０に接続された送風機２４２と、該ベース２３６上に設けられたガイドローラ２４４と、該ベース２３６の下流側から該下流側に向って延出したガイドパイプ２４６とを有している。該エア吹出口２４０は、ガイドローラ２４４の上端よりも下位に配置されており、上方に向ってエアを吹き出すようになっている。
【００９３】
ガイドポスト２３２は、その長手方向にガイドロッド２３４が延在された内孔２４８を有している。該内孔２４８は、該ガイドポスト２３２の上端面に開放している。ガイドロッド２３４の長手方向の途中部分には、該内孔２４８の周壁面に摺動可能に当接するガイドピース２５０が設けられている。この実施の形態では該ガイドロッド２３４の長手方向に所定間隔をあけて２個のガイドピース２５０が設けられており、この２個のガイドピース２５０がそれぞれ該内孔２５０の周壁面を摺動することにより、該ガイドロッド２３４がこれらのガイドピース２５０に案内されて内孔２４８内を上下に平行移動する。
【００９４】
エアシリンダ装置２３８は、シリンダ本体２５２と、該シリンダ本体２５２の一端（上端）からガス圧により進退可能に延出したピストンロッド２５４とからなる。該シリンダ本体２５２は、ピストンロッド２５４の進退方向が上記ガイドロッド２３４の進退方向と平行方向となるようにガイドポスト２３２の上流側の側面に設置されている。該ガイドロッド２５４は、先端（上端）がベース２３６の下面に接続されている。
【００９５】
該ベース２３６に設けられた吹出口２４０、ローラ２４４及びガイドパイプ２４６は、ガイドロッド２３４によって案内されながら、該ピストンロッド２５４の進退力により該ベース２３６と一体に上下に平行移動する。該エア吹出口２４０と送風機２４２とを接続するダクト２４２ａは、長手方向に伸縮可能な蛇腹管よりなり、該ベース２３６の上下動に追従して伸縮し、該エア吹出口２４０と送風機２４２との接続を保証する。
【００９６】
ガイドローラ２４４は、軸心方向の中央側ほど大径となる樽形ローラであり、該軸心方向がフィルム送り方向Ｄｆと略直行する水平方向となるように、両端側が軸受２５６，２５６によって枢支されている。
【００９７】
このエア吹出機構２２は、第２図に示すように、ピストンロッド２５４を上下に進退させることにより、該ガイドローラ２４４が解反途中のフィルムＦの幅方向中央付近の内面に当接し、フィルムＦが該中央付近を頂点としてテント状に緊張するように、ベース２３６の高さ位置が調節される。該ガイドローラ２４４より上流側のエア吹出口２４０からは、フィルムＦの該中央付近に向って空気が吹き込まれる。
【００９８】
このエア吹出口２４０からのフィルムＦ内への空気の吹き込みにより、フィルムＦが万遍なく広がり出し、棒やへらで折り目を開いたときに生じるような局所的なフィルムＦの伸長や破れが防止される。また、該ガイドローラ２４４により、フィルムＦの幅方向中央付近が持ち上げられ、該フィルムＦが地面に接触することが防止される。さらに、この実施の形態では、該ガイドローラ２４４によりフィルムＦが緊張されることにより、フィルムＦに皺が生じることも防止される。
【００９９】
このガイドローラ２４４上を通過したフィルムＦは、該中央付近がガイドパイプ２４６に案内されて下流側へ移動する。なお、この実施の形態では、該ガイドパイプ２４６は上方に凸に湾曲した弓状となっており、このガイドパイプ２４６によってフィルムＦの該中央付近が上方に付勢される。これにより、該フィルムＦは引き続き緊張した状態が維持され、フィルム面に皺が生じたり、フィルムＦが地面に落下することが確実に防止される。
【０１００】
フィルム幅方向切断装置２６は、フィルムロール保持装置１２とフィルム引出機構９６との間に設けられている。このフィルム幅方向切断装置２６は、ベースプレート１０に立設された前後１対のポスト２６０，２６０’と、該ポスト２６０のフィルムＦと対面する側面に沿って上下方向に延設されたスライドレール２６２と、該スライドレール２６２に沿って上下方向にスライドするカッター２６４と、該ポスト２６０の近傍にてフィルムＦの下端付近を挟持固定するフィルム挟持装置２６６と、該ポスト２６０’のフィルムＦと対面する側面に沿って上下方向に延設されたカッターナイフガイド２６８とを有している。
【０１０１】
該ポスト２６０，２６０’は、起立姿勢にてフィルムロール保持装置１２に保持されたフィルムロール１１の起立高さよりも大きい起立高さを有しており、カッター２６４は、このポスト２６０の側面に沿って延設されたスライドレール２６４に沿って該フィルムロール１１の下端よりも下位から該フィルムロール１１の起立高さよりも上位まで移動可能となっている。また、該カッターナイフガイド２６８も、このポスト２６０’の側面に該フィルムロール１１の下端よりも下位から該フィルムロール１１の起立高さよりも上位まで延設されている。
【０１０２】
該カッター２６４は、第１４図に示すように、スライドレール２６２に上下方向スライド可能に係合したスライダ２７０と、該スライダ２７０と一体に設けられたカッター刃ベース２７２と、該カッター刃ベース２７２に取り付けられたカッター刃２７４と、該スライドレール２６２の正面を通過する２枚折り状のフィルムＦの両外側面に沿って配置された１対のガイドプレート２７６，２７８とを有している。該ガイドプレート２７６，２７８は、それぞれ、アーム２８０，２８２を介してカッター刃ベース２７２に取り付けられている。
【０１０３】
カッター刃２７４は、刃先を上方に向けて該２枚折り状のフィルムＦを厚み方向に横断（貫通）するように配置され、その先端はガイドプレート２７８に当接している。該ガイドプレート２７８が連なるアーム２８２は、このカッター刃２７４と同程度の厚みを有する板状部材であり、その板面がカッター刃２７４の側面と略面一状となるように、カッター刃ベース２７２の該カッター刃２７４よりも下位となる位置に固定されている。従って、このアーム２８２は、該カッター刃２７４によりカットされたフィルムＦの切れ目を通って該フィルムＦの裏側に延出する。
【０１０４】
なお、スライドレール２６２にはエアシリンダ装置（図示略）が設けられており、カッター２６４は、このエアシリンダ装置のガス圧により該スライドレール２６２に沿って上下動する。フィルム送り時には、該カッター２６４は、フィルムＦの下端よりも下位に配置されており、フィルムＦをカットするときには、該エアシリンダ装置からのガス圧により、カッター２６４がフィルムＦを幅方向に横断するように上方移動しながら該フィルムＦを下端から上端まで切断する。
【０１０５】
フィルム挟持装置２６６は、第１５図に示すように、２枚折り状のフィルムＦの下端付近を介在させて対峙する雄実部２８６及び雌実部２８８と、該雄実部２８６と雌実部２８８とをそれぞれ接近方向に移動させるプッシャ２９０，２９２とを備えている。該雄実部２８６は、先端に略円柱形状部２８６ａを有しており、この略円柱形状部２８６ａは、軸心方向が上下方向となるように設けられている。また、雌実部２８８の先端には、この略円柱形状部２８６ａが係合可能な略半円弧状断面形状の凹陥部２８８ａが設けられている。
【０１０６】
プッシャ２９０，２９２は、それぞれ、該雄実部２８６及び雌実部２８８の接離方向に延在したプッシュロッド２９４，２９６と、このプッシュロッド２９４，２９６を該接離方向に進退させる駆動機構（図示略）とを備えている。該雄実部２８６及び雌実部２８８は、それぞれ、このプッシュロッド２９４，２９６の先端に取り付けられている。
【０１０７】
フィルム送り時には、第１６図（ａ）に示す通り、該プッシュロッド２９４，２９６が後退して雄実部２８６と雌実部２８８とが離反している。フィルムＦをカットするときには、第１６図（ｂ）に示すように、プッシュロッド２９４，２９６が進出して略円柱形状部２８６と凹陥部２８８ａとが係合し、該略円柱形状部２８６ａと凹嵌部２８８ａとの間にフィルムＦの下端付近が挟持固定される。
【０１０８】
このフィルム挟持装置２６６によってフィルムＦの下端付近を挟持しておくことにより、カッター２６４によるフィルムＦの下端からの該フィルムＦの切断が極めてスムーズに行われるようになる。
【０１０９】
以下に、このように構成されたフィルム解反装置によるフィルム解反手順を説明する。
【０１１０】
まず、フィルムロール保持装置１２のフィルムロール保持棒３２を第６図に示す如き倒伏姿勢とし、前述のようにこのフィルムロール保持棒３２を横倒し状のフィルムロール１１の芯１１ａに挿通して該フィルムロール保持棒３２にフィルムロール１１を装着する。次に、このフィルムロール保持棒３２の先端のリング７２にフック７０を掛け、ホイスト５８をチェーン巻き上げ作動させることにより、フィルムロール保持棒３２の先端側を引き上げて該フィルムロール保持棒３２を起立させる。そして、このフィルムロール保持棒３２の軸心方向が鉛直となったときに固定機構３６により該フィルムロール保持棒３２を固定する。
【０１１１】
次に、各ピンチシリンダ１１０，１２０，１３４をローラ離反作動させてフィルム引出機構９６、フィルム側端部振分機構９８Ａ，９８Ｂ及びフィルム側端部切断装置１６の各ピンチローラ１０２，１０２’同士、１１２，１１２’同士並びに１２４，１２４’同士を離反させる。そして、起立姿勢にてフィルムロール保持装置１２の台座４０上に保持されたフィルムロール１１から２枚折り状のフィルムＦを引き出してこのフィルムＦを該ピンチローラ１０２，１０２’間に引き通す。次に、このフィルムＦの両側端部を離反させ、一方を、フィルム側端部切断装置１６のピンチローラ１２４，１２４’間を経由してフィルム側端部振分機構９８Ａのピンチローラ１１２，１１２’間に引き通し、他方をフィルム側端部振分機構９８Ｂのピンチローラ１１２，１１２’間に引き通す。その後、各ピンチシリンダ１１０，１２０，１３４をローラ接近作動させ、各ピンチローラ１０２，１０２’間、１１２，１１２’間及び１２４，１２４’間にフィルムＦを挟持させる。
【０１１２】
なお、このフィルムロール１１からのフィルムＦの引出しに先立ち、フィルム幅方向切断装置２６のカッター２６４をスライドレール２６２の下端側に配置し、フィルム挟持装置２６６の雄実部２８６と雌実部２８８とを離反させておく。フィルムＦをフィルムロール１１から引き出したときには、この２枚折り状のフィルムＦの下端付近を該雄実部２８６及び雌実部２８８間並びにカッター２６４のガイドプレート２７６，２７８間に配置し、その後、このフィルムＦを該ピンチローラ１０２，１０２’間に引き通す。
【０１１３】
次に、各シリンダ装置１８４をプーリ離反作動させてフィルム側端部案内装置２０Ａ，２０Ｂの各ベルトコンベヤ１６４，１６６の上流端同士を第１０図（ｂ）の如く離反させ、該ベルトコンベヤ１６４，１６６同士の間にフィルムＦの始端を差し入れる。その後、各シリンダ装置１８４をプーリ接近作動させ、該フィルムＦの始端を各ベルトコンベヤ１６４，１６６間に挟持させる。
【０１１４】
この際、フィルムＦの幅方向中央付近をエア吹出装置２２のガイドローラ２４４に掛ける。該ガイドローラ２４４は、予め下降限付近に配置しておく。そして、フィルムＦがこのガイドローラ２４４付近を頂点として緊張するように、シリンダ装置２３８のピストンロッド２５４をシリンダ本体２５２から進出させ、ガイドローラ２４４を上昇させる。
【０１１５】
また、連結ピン２２２を回動中心として各フィルム側端部案内装置２０Ａ，２０Ｂを左右に転回させることにより、該フィルム側端部案内装置２０Ａ，２０Ｂの下流端同士の間隔がフィルムＦの解反時の幅と略等しくなるように調節する。
【０１１６】
なお、このフィルムＦの解反時の幅が所望のフィルム幅よりも大きい場合には、フィルム側端部切断装置１６においてフィルムＦの側端部が不要幅分だけカットされるようにカッター１２８の高さを調節する。そして、このカッター１２８の高さに合わせて昇降架台１９４のスライドアーム２００の高さを調節し、カッター１２８によってカットされた後のフィルムＦの側端部がフィルム側端部案内装置２０Ａのベルトコンベヤ１６４，１６６間に真直ぐに送り込まれるように配置する。
【０１１７】
また、フィルム側端部切断装置１６においてカットされたフィルムＦの切れ端Ｒをピンチローラ１２４’から側外方に引き回し、切れ端引取装置１８のピンチローラ１５４，１５４間に引き通す。
【０１１８】
その後、検尺器８８のコンタクトローラ９０をフィルムロール１１の外周面に当接させ、フィルム引出機構９６、フィルム側端部振分機構９８Ａ，９８Ｂ、フィルム側端部切断装置１６及び切れ端引取装置１８の各ピンチローラ１０２，１０２’，１１２，１１２’，１２４，１２４’，１５４，１５４と、フィルム側端部案内装置２０Ａ，２０Ｂの各ベルトコンベヤ１６４，１６６とをフィルム送り方向に回転駆動させると共に、送風機２４２を起動させてエア吹出口２４０からフィルムＦの内側に向って空気を吹き込ませ、フィルムＦの解反を開始する。
【０１１９】
フィルムロール１１からフィルム引出機構９６によって引き出された２枚折り状のフィルムＦは、その両側端部がフィルム側端部振分機構９８Ａ，９８Ｂによって左右のフィルム側端部案内装置２０Ａ，２０Ｂに振り分けられ、各フィルム側端部案内装置２０Ａ，２０Ｂの下流側へ搬送されるに従って該両側端部が次第に大きく離反していき、フィルムＦ全体が平たく開き出す。
【０１２０】
検尺器８８により計測されたフィルムＦの引き出し長さが所望長さとなったときには、各装置を一端停止させる。そして、フィルム幅方向切断装置２６のフィルム挟持装置２６６によりフィルムロール１１付近のフィルムＦの下端側を挟持固定し、カッター２６４により該フィルムＦを幅方向（上下方向）に切断して該フィルムＦをフィルムロール１１から分断する。なお、カッター２６４でフィルムＦを切断する代りに、カッターナイフ（図示略）を用い、カッターナイフガイド２６８に沿って該フィルムＦを切断してもよい。
【０１２１】
その後、装置を再始動させ、該装置内のフィルムＦの残りの部分を解反する。これにより、所望長さのフィルムＦが解反される。
【０１２２】
なお、フィルムＦを解反している途中で切断するときは、カッターナイフ台２４を装置の下流側に設置し、このカッターナイフ台２４に沿ってフィルムＦを幅方向に切断してもよい。
【０１２３】
このフィルム解反装置にあっては、フィルムＦの側端部同士を離反させて該フィルムＦを広げるように該両側端部をフィルム側端部案内装置２０Ａ，２０Ｂで案内するので、フィルムＦに波打ち等の不具合を生じることなく確実に平たく且つ均一に広げることが可能である。
【０１２４】
この際、フィルムＦの両側端部は該フィルム側端部案内装置２０Ａ，２０Ｂの各ベルトコンベヤ１６４，１６６に沿ってフィルムロール保持装置１２から離反するに従って極めてスムーズに開き出すため、フィルムＦに波打ち等の不具合が全く生じない。
【０１２５】
また、このフィルム解反装置にあっては、該フィルム側端部案内装置２０Ａ，２０Ｂ同士の開き出し角度θが調整可能となっていることから、両者のフィルム送り方向Ｄｆの下流端同士の間隔を解反時のフィルム幅に合わせて調節することにより、装置の構成を変えることなく、種々のフィルム幅を有するフィルムを確実に平たく且つ均一に広げることが可能となる。
【０１２６】
このフィルム解反装置においては、フィルム側端部切断装置１６によってフィルム側端部を不要幅分だけ切断することができるので、フィルムロール１１のフィルム幅が所望のフィルム幅よりも大きい場合でも、所望の幅を有するフィルムを得ることが可能となる。
【０１２７】
しかも、このフィルム解反装置においては、該フィルム側端部切断装置１６よりも下流側に配置されたフィルム側端部案内装置２０Ａが上下方向位置調整可能となっているので、フィルム側端部切断装置１６でフィルムＦの側端部を切断した場合でも、フィルムＦの側端部が切り詰められた分だけフィルム側端部案内装置２０Ａの上下方向位置を調整することにより、スムーズにベルトコンベヤ１６４，１６６間にフィルムＦが挟み込まれるようになる。この結果、フィルムＦの側端部をフィルム側端部切断装置１６によって切断した場合でも、確実にフィルムＦを平らに且つ均一に広げることが可能である。
【０１２８】
このフィルム解反装置においては、フィルムロール保持装置１２とフィルム引出装置１４との間に、フィルムＦをフィルム幅方向に切断するフィルム幅方向切断装置２６が設けられているので、フィルムロール保持装置に保持されたフィルムロール１１からフィルムＦが所望長さまで引き出されたときにこの切断装置２６で該フィルムＦを幅方向に切断して該フィルムＦとフィルムロール１１とを分断することにより、フィルムＦを所望長さだけ無駄なく解反することができる。
【０１２９】
このフィルム解反装置では、フィルムロール保持装置１２のフィルムロール保持棒３２は起倒回動可能とされているため、フィルムロール１１を横倒し状にしたまま倒伏状態の該フィルムロール保持棒３２に装着することができるので、フィルムロール１１のフィルムロール保持棒３２への装着作業が極めて容易である。また、フィルムロール保持棒３２に装着されたフィルムロール１１を引起し装置３４により引き起して起立させることができるので、フィルムロール１１の引起し作業も極めて容易である。
【０１３０】
【発明の効果】
以上の通り、本発明によると、２枚折り状のフィルムを確実に平たく均一に広げることができるフィルム解反装置が提供される。
【図面の簡単な説明】
【図１】実施の形態に係るフィルム解反装置の斜視図である。
【図２】図１のフィルム解反装置のフィルム解反作動時の側面図である。
【図３】図１のフィルム解反装置のフィルム解反作動時の平面図である。
【図４】片開きフィルムの巻物（フィルムロール）の斜視図である。
【図５】フィルムロール保持装置の斜視図である。
【図６】フィルムロール保持装置へのフィルムロール装着方法を示す斜視図である。
【図７】フィルム引出装置の斜視図である。
【図８】フィルム側端部切断装置の斜視図である。
【図９】フィルム側端部案内装置の斜視図である。
【図１０】フィルム側端部案内装置へのフィルム始端部差し込み方法を示す平面図である。
【図１１】フィルム側端部案内装置の全体平面図である。
【図１２】エア吹出装置の斜視図である。
【図１３】フィルム幅方向切断装置の斜視図である。
【図１４】フィルムカッターの斜視図である。
【図１５】フィルム挟持装置の斜視図である。
【図１６】フィルム挟持装置のフィルム挟持機構を示す平面図である。
【図１７】実施の形態に係るフィルム解反装置のフィルム解反作動時の側面図である。
【図１８】図１７のフィルム解反装置のフィルム解反作動時の平面図である。
【符号の説明】
Ａ  フィルムロール保持装置
Ｂ  フィルム引出・案内装置
Ｃ  エア吹出装置
Ｆ  フィルム
Ｍ  フィルムロール
２  フィルムロール保持棒
３  駆動装置
４  フィルム引出用ピンチローラ
５，５’  フィルム側端部振分用ピンチローラ
６，６’  フィルム側端部案内用ベルトコンベヤ
７  ノズル
１１  フィルムロール
１２  フィルムロール保持装置
１４  フィルム引出装置
１６  フィルム側端部切断装置
２０Ａ，２０Ｂ  フィルム側端部案内装置
２２  エア吹出装置
２６  フィルム幅方向切断装置
３２  フィルムロール保持棒
３４  引起し装置
９６  フィルム引出機構
９８Ａ，９８Ｂ  フィルム側端部振分機構
１２８  カッター
１６４，１６６  ベルトコンベヤ
１９４  昇降架台
２４０  エア吹出口
２６４  カッター
【図１】
0004013678.tif 000002
【図２】
0004013678.tif 000003
【図３】
0004013678.tif 000004
【図４】
0004013678.tif 000005
【図５】
0004013678.tif 000006
【図６】
0004013678.tif 000007
【図７】
0004013678.tif 000008
【図８】
0004013678.tif 000009
【図９】
0004013678.tif 000010
【図１０】
0004013678.tif 000011
【図１１】
0004013678.tif 000012
【図１２】
0004013678.tif 000013
【図１３】
0004013678.tif 000014
【図１４】
0004013678.tif 000015
【図１５】
0004013678.tif 000016
【図１６】
0004013678.tif 000017
【図１７】
0004013678.tif 000018
【図１８】
0004013678.tif 000019